(57)【要約】【課題】不審者の侵入を確実かつ未然に防止する。【解決手段】車両Ｖの振動センサ（２２ａ〜２２ｄ）のいずれかが検出した振動が所定値を超えたとき、または、車両Ｖの赤外線センサ（２４ａ〜２４ｄ）のいずれかが接近物を検出したとき、録画開始制御部３４ｂが当該振動センサ、または、当該赤外線センサと対応するカメラ（２０ａ〜２０ｄ）で車両Ｖの周囲の映像を映像録画部３６ａに録画する。その後、イベント継続時間計測部５２ｂが計測した所定値を超える振動の振動継続時間Ｔ１、または、接近物検出継続時間Ｔ２が所定時間を超え、なおかつ、不審者判断部３２ａで人間が映っていると判断されたときに警報発報部５６ａが警報を発報する。【選択図】図２
2015178298.tif 000002
【特許請求の範囲】
【請求項１】
車両の周囲に前記車両の外側に向けて設置されて、前記車両の周囲を撮影する複数の撮像部と、
前記複数の撮像部の各設置位置とそれぞれ対応する位置で、前記車両に発生した振動の大きさを検出する複数の振動検出部と、
前記複数の撮像部の各設置位置とそれぞれ対応する位置で、前記複数の撮像部の各観測方向に存在する接近物を検出する複数の接近物検出部と、
前記複数の撮像部のうち、少なくとも１つの撮像部で撮影された映像を録画する映像録画部と、
前記振動検出部で所定値を超える振動が検出されたとき、または、前記接近物検出部で接近物が検出されたときに、前記振動を検出した振動検出部と対応する位置に置かれた前記撮像部、または、前記接近物を検出した接近物検出部と対応する位置に置かれた前記撮像部で撮影された映像の前記映像録画部への録画を開始する録画開始制御部と、
前記所定値を超える振動が継続する振動継続時間、および、前記接近物の検出が継続して行われる接近物検出継続時間をそれぞれ計測するイベント継続時間計測部と、
前記録画された映像の中に人間が映っているか否かを判断する不審者判断部と、
前記振動継続時間または前記接近物検出継続時間が所定時間を超えて、なおかつ、前記不審者判断部で人間が映っていると判断されたときに警報を発報する警報発報部と、
前記警報発報部が警報を発報した後で、前記所定値を超える振動の検出および前記接近物の検出がともになされず、なおかつ、前記録画された映像の中に人間が映っていないと判断されたときには、前記警報の発報を停止させる警報停止部と、
前記警報停止部が警報の発報を停止したときに前記録画を終了する録画終了制御部と、
映像の録画が行われたことを示すイベント発生告知部と、を有することを特徴とする車両用セキュリティ装置。
【請求項２】
前記映像録画部への録画を開始した後で、前記振動継続時間および前記接近物検出継続時間が、ともに所定時間に満たないとき、なおかつ、前記録画された映像の中に人間が映っていないと判断されたときには、録画を中断してそのときに録画された映像を消去する録画中断制御部を有することを特徴とする請求項１に記載の車両用セキュリティ装置。
【請求項３】
前記映像録画部は、前記複数の撮像部のうち少なくとも１つの撮影部で撮影された映像を、１枚の映像に合成して録画することを特徴とする請求項１または２に記載の車両用セキュリティ装置。
【請求項４】
前記接近物検出部は、赤外線センサによって構成されることを特徴とする請求項１から請求項３のいずれか１項に記載の車両用セキュリティ装置。
【発明の詳細な説明】
【技術分野】
【０００１】
本発明は、駐車中の車両の監視を行う車両用セキュリティ装置に関するものである。
【背景技術】
【０００２】
近年、車両窃盗の増加に対する防犯措置として、車両にセキュリティシステムを搭載する例が増えている。
【０００３】
このような車両用セキュリティ装置では、例えば、超音波センサ等によって不審者の接近を検知して、接近が検知された後でカメラを動作させて、車内を撮影し、画像に変化が検出されたときに不審者が侵入したものと判断して警報音を鳴らしている（例えば、特許文献１）。
【０００４】
また、車両用セキュリティ装置には、加速度センサ（振動センサ）を用いて、車体に発生する振動量を検出し、振動量が所定値を超えたときには盗難の虞があると判断して警報を出力するものもある（例えば、特許文献２）。
【先行技術文献】
【特許文献】
【０００５】
【特許文献１】特開２００９−６１９２９号公報
【特許文献２】特開２０１３−１４１８７４号公報
【発明の概要】
【発明が解決しようとする課題】
【０００６】
しかしながら、特許文献１に記載されたセキュリティ装置は、カメラが車内を監視しているため、車内への侵入が検知された後で警報が出力される構成になっていた。
【０００７】
したがって、このような従来のセキュリティ装置にあっては、不審者の侵入を未然に防ぐことができないという問題があった。
【０００８】
また、特許文献２に記載されたセキュリティ装置は、加速度センサ（振動センサ）のみを用いて、車両盗難の虞があるか否かを判断する構成になっていた。
【０００９】
したがって、このような従来のセキュリティ装置にあっては、風や地震によって発生する振動や、近くを別の車両が通過することによって発生する振動によって、誤作動を起こす虞があるという問題があった。
【００１０】
本発明は、上記課題に鑑みてなされたもので、複数の異なる種類のセンサを組み合わせて活用することにより、誤作動することなく、不審者の侵入を確実かつ未然に防止することを目的とする。
【課題を解決するための手段】
【００１１】
本発明に係る車両用セキュリティ装置は、誤作動することなく、不審者の侵入を確実かつ未然に防止するものである。
【００１２】
すなわち、本発明に係る車両用セキュリティ装置は、車両の周囲に前記車両の外側に向けて設置されて、前記車両の周囲を撮影する複数の撮像部と、前記複数の撮像部の各設置位置とそれぞれ対応する位置で、前記車両に発生した振動の大きさを検出する複数の振動検出部と、前記複数の撮像部の各設置位置とそれぞれ対応する位置で、前記複数の撮像部の各観測方向に存在する接近物を検出する複数の接近物検出部と、前記複数の撮像部のうち、少なくとも１つの撮像部で撮影された映像を録画する映像録画部と、前記振動検出部で所定値を超える振動が検出されたとき、または、前記接近物検出部で接近物が検出されたときに、前記振動を検出した振動検出部と対応する位置に置かれた前記撮像部、または、前記接近物を検出した接近物検出部と対応する位置に置かれた前記撮像部で撮影された映像の前記映像録画部への録画を開始する録画開始制御部と、前記所定値を超える振動が継続する振動継続時間、および、前記接近物の検出が継続して行われる接近物検出継続時間をそれぞれ計測するイベント継続時間計測部と、前記録画された映像の中に人間が映っているか否かを判断する不審者判断部と、前記振動継続時間または前記接近物検出継続時間が所定時間を超えて、なおかつ、前記不審者判断部で人間が映っていると判断されたときに警報を発報する警報発報部と、前記警報発報部が警報を発報した後で、前記所定値を超える振動の検出および前記接近物の検出がともになされず、なおかつ、前記録画された映像の中に人間が映っていないと判断されたときには、前記警報の発報を停止させる警報停止部と、前記警報停止部が警報の発報を停止したときに前記録画を終了する録画終了制御部と、映像の録画が行われたことを示すイベント発生告知部と、を有することを特徴とする。
【発明の効果】
【００１３】
このように構成された本発明に係る車両用セキュリティ装置によれば、車両に設置された複数の振動検出部のいずれかが検出した振動の大きさが所定値を超えたとき、または、車両に設置された複数の接近物検出部のいずれかが接近物を検出したときには、録画開始制御部の作用によって当該振動検出部、または、当該接近物検出部と対応する位置に設置された撮像部で撮影された車両周囲の映像を映像録画部に録画する。
【００１４】
そして、イベント継続時間計測部が、所定値を超える振動が継続する振動継続時間と接近物の検出が継続して行われる接近物検出継続時間を計測して、振動継続時間または接近物検出継続時間が所定時間を超えて、なおかつ、不審者判断部で人間が映っていると判断されたときには警報発報部が警報を発報する。
【００１５】
そして、警報発報部が警報を発報した後で、所定値を超える振動および前記接近物の検出がともになされず、なおかつ、不審者判断部で人間が映っていないと判断されたときには、警報停止部の作用によって警報の発報が停止されるとともに、録画終了制御部の作用によって映像の録画が終了して、イベント発生告知部が、録画が行われたことを告知する。
【００１６】
したがって、振動検出部と接近物検出部によって不審者の車両への接近を検出して、不審者判断部で人間が映っていることを確認して警報を発報するため、複数の異なる種類のセンサで不審者の接近を確実に検出して、なおかつ、車両への侵入を未然に防止することができる。
【図面の簡単な説明】
【００１７】
【図１】本発明の実施例１に係る車両用セキュリティ装置のハードウェア構成を示すブロック図である。
【図２】本発明の実施例１に係る車両用セキュリティ装置の機能構成を示す機能ブロック図である。
【図３】（ａ）は実施例１に係る車両用セキュリティ装置の車載状態を示す図である。（ｂ）は車両用セキュリティ装置で録画される映像の一例を示す図である。
【図４】実施例１に係る車両用セキュリティ装置で行われる処理の流れを示すフローチャートである。
【図５】実施例１に係る車両用セキュリティ装置で行われる録画開始判断処理の流れを示すフローチャートである。
【図６】実施例１に係る車両用セキュリティ装置で行われる警報発報判断処理の流れを示すフローチャートである。
【図７】実施例１に係る車両用セキュリティ装置で行われる警報停止判断処理の流れを示すフローチャートである。
【図８】（ａ）は不審者が４方向から車両に接近している様子を示す図である。（ｂ）は図８（ａ）の状態にあるときに、車両用セキュリティ装置に録画される映像の一例を示す図である。
【図９】（ａ）は不審者が２方向から車両に接近している様子を示す図である。（ｂ）は図９（ａ）の状態にあるときに、車両用セキュリティ装置に録画される映像の一例を示す図である。
【発明を実施するための形態】
【００１８】
以下、本発明に係る車両用セキュリティ装置の具体的な実施形態について、図面を参照して説明する。
【実施例１】
【００１９】
本実施例は、本発明を、駐車中の車両の監視を行うセキュリティ装置に適用したものである。
（ハードウェア構成の説明）
【００２０】
まず、図１を用いて、本発明の一実施形態であるセキュリティ装置１０の構成を説明する。図１は、車両Ｖに実装された本実施例に係るセキュリティ装置１０のハードウェアブロック図を示す。
【００２１】
実施例１に係るセキュリティ装置１０は、図１に示すように、車両Ｖの周囲を監視する前方カメラ２０ａ，左側方カメラ２０ｂ，後方カメラ２０ｃ，右側方カメラ２０ｄと、車両Ｖの各部に発生した振動を検出する、加速度センサからなる前方振動センサ２２ａ，左側方振動センサ２２ｂ，後方振動センサ２２ｃ，右側方振動センサ２２ｄと、車両Ｖに各方向から接近する不審者を検出する前方赤外線センサ２４ａ，左側方赤外線センサ２４ｂ，後方赤外線センサ２４ｃ，右側方赤外線センサ２４ｄと、各カメラ２０ａ，２０ｂ，２０ｃ，２０ｄの動作を制御して、必要に応じて撮影された映像を録画するカメラＥＣＵ３０と、車両Ｖの監視の開始，中断，終了の判断を行うセキュリティシステムＥＣＵ５０と、映像が録画されたことを示すインジケータ６０と、録画された映像を再生するモニター７０と、を備えている。
【００２２】
カメラＥＣＵ３０は、さらに、撮影された画像の中から人間（不審者）を検出する、集積回路であるＡＳＩＣ（Application Specific Integrated Circuit）で構成された画像処理プロセッサ３２と、撮影された画像の録画の開始，中断，終了の判断を行うマイコン３４と、録画された映像を記憶する半導体メモリからなるメモリ３６と、を備えている。
【００２３】
セキュリティシステムＥＣＵ５０は、さらに、車両Ｖの監視の開始，中断，終了の判断と指示を行うマイコン５２と、車両Ｖの所有者を不審者として誤検出することを避ける電子錠レシーバ５４と、警報の発報が必要なときに警報出力を増幅するアンプ５６と、警報音を出力するスピーカ５８と、を備えている。
【００２４】
なお、セキュリティ装置１０を構成する複数の撮像部（２０ａ〜２０ｄ）とカメラＥＣＵ３０は、セキュリティ装置１０専用に設置されたものではなく、車両Ｖの周囲状況を監視する周囲監視装置用に設置されたものである。そして、その撮像部（２０ａ〜２０ｄ）とカメラＥＣＵ３０が、セキュリティ装置１０のために流用される。
（機能構成の説明）
【００２５】
次に、セキュリティ装置１０の機能構成について、図１，図２を用いて説明する。図２は、車両Ｖに実装された本実施例に係るセキュリティ装置１０の機能構成を示す機能ブロック図を示す。
【００２６】
実施例１に係るセキュリティ装置１０は、図２に示すように、車両Ｖの周囲を監視する前方撮像部２０ａ，左側方撮像部２０ｂ，後方撮像部２０ｃ，右側方撮像部２０ｄと、車両Ｖの各部に発生した振動を検出する前方振動検出部２２ａ，左側方振動検出部２２ｂ，後方振動検出部２２ｃ，右側方振動検出部２２ｄと、車両Ｖに各方向から接近する不審者を検出する前方接近物検出部２４ａ，左側方接近物検出部２４ｂ，後方接近物検出部２４ｃ，右側方接近物検出部２４ｄと、を備える。
【００２７】
ここで、前方撮像部２０ａ，左側方撮像部２０ｂ，後方撮像部２０ｃ，右側方撮像部２０ｄは、具体的には、それぞれ、図１に示す前方カメラ２０ａ，左側方カメラ２０ｂ，後方カメラ２０ｃ，右側方カメラ２０ｄで構成されている。なお、以後、これら４つの撮像部を総称する際は、単に撮像部２０と呼ぶ。
【００２８】
また、前方振動検出部２２ａ，左側方振動検出部２２ｂ，後方振動検出部２２ｃ，右側方振動検出部２２ｄは、具体的には、それぞれ、図１に示す前方振動センサ２２ａ，左側方振動センサ２２ｂ，後方振動センサ２２ｃ，右側方振動センサ２２ｄで構成されている。なお、以後、これら４つの振動検出部を総称する際は、単に振動検出部２２と呼ぶ。
【００２９】
さらに、前方接近物検出部２４ａ，左側方接近物検出部２４ｂ，後方接近物検出部２４ｃ，右側方接近物検出部２４ｄは、具体的には、それぞれ、図１に示す前方赤外線センサ２４ａ，左側方赤外線センサ２４ｂ，後方赤外線センサ２４ｃ，右側方赤外線センサ２４ｄで構成されている。なお、以後、これら４つの接近物検出部を総称する際は、単に接近物検出部２４と呼ぶ。
【００３０】
セキュリティ装置１０は、さらに、カメラ制御部３０と、セキュリティシステム制御部５０と、イベント発生告知部６０と、映像出力部７０を備える。
【００３１】
カメラ制御部３０は、具体的には、図１に示すカメラＥＣＵ３０からなり、複数の撮像部である前方撮像部２０ａ，左側方撮像部２０ｂ，後方撮像部２０ｃ，右側方撮像部２０ｄを動作させて映像を撮影し、撮影された各映像の中に人間が映っているか否かを判断する不審者判断部３２ａと、録画状態を制御する録画制御部３４ａと、録画した映像を記録する映像録画部３６ａを備える。ここで、不審者判断部３２ａは、具体的には、図１に示す画像処理プロセッサ３２で構成されて、録画制御部３４ａは、具体的には、図１に示すマイコン３４で構成されて、映像録画部３６ａは、具体的には、図１に示す画像処理プロセッサ３２とメモリ３６で構成されている。
【００３２】
なお、録画制御部３４ａは、さらに、録画の開始タイミングを判断して録画を開始させる録画開始制御部３４ｂと、録画の終了タイミングを判断して録画を終了させる録画終了制御部３４ｃと、録画の中断タイミングを判断して録画を中断させる録画中断制御部３４ｄを備える。
【００３３】
セキュリティシステム制御部５０は、具体的には、図１に示すセキュリティシステムＥＣＵ５０からなり、車両Ｖの監視の開始を判断して監視を開始させる監視開始判断部５２ａと、前述した振動検出部２２が振動の発生を検出したときにその継続時間を計測し、また、接近物検出部２４が接近物の接近を検出したときにその継続時間を計測するイベント継続時間計測部５２ｂと、車両Ｖが警戒すべき状態にあるか否かを判断して、警戒すべき状態にあると判断されたときに警報を出力する警報発報部５６ａと、所定の条件を満足したか否かを判断して、所定の条件を満足したと判断されたときに警報の出力を停止する警報停止部５２ｃを備える。ここで、監視開始判断部５２ａは、具体的には、図１に示す電子錠レシーバ５４とマイコン５２で構成されて、イベント継続時間計測部５２ｂと警報停止部５２ｃは、具体的には、図１に示すマイコン５２で構成されて、警報発報部５６ａは、具体的には、図１に示すマイコン５２とアンプ５６とスピーカ５８で構成されている。
【００３４】
イベント発生告知部６０は、具体的には、図１に示すインジケータ６０からなり、警戒すべき状態が発生して映像の録画が行われたことを告知する。
【００３５】
映像出力部７０は、具体的には、図１に示すモニター７０からなり、録画された映像を表示する。
【００３６】
以下、本実施例の主要な動作内容について、順を追って説明する。
（警戒モード開始判断方法の説明）
【００３７】
まず、セキュリティ装置１０を起動して警戒モードに移行させる手順について説明する
【００３８】
車両Ｖの運転者は電子キー（スマートキー）を所持しているものとする。この電子キーは、車両Ｖと通信を行うことによって、車両Ｖの所有者が車両Ｖに接近したこと／車両Ｖから遠ざかったこと、また、乗車／降車したことを判断し、ドアの開錠／施錠やエンジンの始動／停止の操作を簡便に行うことができるようにするものである。本実施例における警戒モードの開始判断は、この電子キーを用いて行われる。
【００３９】
運転者は車両Ｖの運転を終了すると、エンジンを停止する。そしてドアを開けて降車した後、ドアを閉じてロックする。
【００４０】
このとき、セキュリティ装置１０はまず、ドアがロックされたことを検出する。この判断は、監視開始判断部５２ａ（図２）において、前述した電子キーからドアを施錠したことを示す信号が送信されたことを検出することによって行う。
【００４１】
ドアがロックされたことを検出すると、次に、運転者が所持している電子キーが車両Ｖから遠ざかったことを検出する。この検出は、監視開始判断部５２ａ（図２）を構成する電子錠レシーバ５４（図２）において、電子キーと車両Ｖの間で通信が行えなくなったことを判断して行われる。すなわち、電子キーが車両Ｖから遠ざかって通信が行えなくなったときに、運転者が車両Ｖから離れたと判断する。
【００４２】
そして、電子キーが車両Ｖから遠ざかったことを検出したときに、監視開始判断部５２ａは車両Ｖを警戒モードとして、車両Ｖの監視を開始する。
（不審者判定方法の説明）
【００４３】
次に、不審者判断部３２ａで行われる不審者の判定方法について説明する。不審者判断部３２ａでは、そのとき作動している撮像部２０（２０ａから２０ｄのいずれか）で撮影された画像の中から、人間の検出を行う。
【００４４】
具体的には、例えば、時系列で観測された画像間で差分演算を行って、画像間で移動が発生した領域を検出し、その移動領域の輝度分布や形状特徴を分析して人間らしさを算出する。その際、不審者判断部３２ａが予め記憶している、人間を様々な方向から撮影したときに得られるモデルを参照して、検出された領域の人間らしさを算出することができる。このようにして算出された人間らしさが所定の値を超えたときに、撮影された画像の中に人間が映っていると判断する。なお、人間の検出方法は、これに限定されるものではなく、既に公知になっているいかなる画像処理方法を適用して行っても構わない。
（録画開始判断方法の説明）
【００４５】
次に、セキュリティ装置１０で行われる録画制御のうち、録画開始判断の方法について説明する。
【００４６】
録画の開始判断と録画する撮像部の決定は、録画開始制御部３４ｂ（図２）において行われる。具体的には、振動検出部２２（２２ａから２２ｄのいずれか）において所定値よりも大きい振動が検出されるか、もしくは、接近物検出部２４（２４ａから２４ｄのいずれか）において接近物が検出されたときに、その振動検出部２２（２２ａから２２ｄのいずれか）、もしくは、その接近物検出部２４（２４ａから２４ｄのいずれか）と対応する撮像部２０（２０ａから２０ｄのいずれか）を起動して、その撮像部２０（２０ａから２０ｄのいずれか）で撮影された映像の録画を開始する。以上説明した録画開始判断の詳細な処理の流れは、後ほどフローチャートで説明する。
【００４７】
なお、複数の撮像部２０（２０ａから２０ｄの中の複数の撮像部）で同時に振動あるいは接近物が検知されたときには、複数の撮像部で同時に録画を開始する。
（録画情報の構成の説明）
【００４８】
次に、映像録画部３６ａ（図２）で録画される映像の構成について、図３（ａ）（ｂ）を用いて説明する。
【００４９】
図３（ａ）は、車両Ｖの右側ドアに不審者Ｈ１が接近して、車両Ｖに触れた様子を示す図である。このとき、車両Ｖに設置された右側方振動センサ２２ｄが所定値よりも大きい振動を検知して、右側方赤外線センサ２４ｄが接近物を検知する。
【００５０】
すると、前述した録画開始制御が行われ、右側方カメラ２０ｄが起動して映像の録画が開始される。そして、このとき、映像録画部３６ａ（図２）には、図３（ｂ）に示す映像Ｉ（ｔ）が録画される。
【００５１】
映像Ｉ（ｔ）の中には、車両Ｖに接近している不審者Ｈ１が映る。さらに、映像Ｉ（ｔ）の中には、画像処理プロセッサ３２（図１）が有するＯＳＤ機能（On Screen Display機能）によって、その映像を撮影した撮像部の設置位置と、その映像が撮影された日時であるタイムカウンターＴｃが重畳される。これによって、不審者Ｈ１が車両Ｖに接近した方向と時刻を特定することができる。
（警報発報判断方法の説明）
【００５２】
次に、セキュリティ装置１０で行われる警報発報判断の方法について説明する。警報発報判断は、イベント継続時間計測部５２ｂの判断によって行われる。
【００５３】
イベント継続時間計測部５２ｂは、振動検出部２２が振動の発生を検出したときにその継続時間である振動継続時間Ｔ１を計測し、接近物検出部２４が接近物の接近を検出したときにその継続時間である接近物検出継続時間Ｔ２を計測する。そして、振動継続時間Ｔ１が所定の閾値Ｔｈ１を超えたとき、あるいは、接近物検出継続時間Ｔ２が所定の閾値Ｔｈ２を超えたときに、警報を発報する必要があると判断する。なお、閾値Ｔｈ１，Ｔｈ２は、それぞれ、予め所定の値を設定しておく。また、ユーザが必要に応じて、閾値Ｔｈ１，Ｔｈ２の値を設定できるようにしてもよい。
【００５４】
一方、振動継続時間Ｔ１が所定の閾値Ｔｈ１を超えず、なおかつ、接近物検出継続時間Ｔ２が所定の閾値Ｔｈ２を超えないときには、不審者判断部３２ａで人間が検出されないことを確認して、警報を発報する必要がないと判断する。なお、警報発報判断の詳細な処理の流れは、後ほどフローチャートで説明する。
（警報停止判断方法、および録画終了判断方法の説明）
【００５５】
次に、セキュリティ装置１０で行われる警報停止判断、録画終了判断の方法について説明する。
【００５６】
警報の発報は、警報停止部５２ｃの判断によって終了する。また、映像の録画は、録画終了制御部３４ｃ（図２）の判断によって終了する。具体的には、以下の２通りの終了方法を有している。
【００５７】
１つは、検出された不審者が立ち去ったことを判断して、自動的に警報の発報と録画を終了する方法であり、もう１つは、運転者が車両Ｖに戻って、自ら警報の発報と録画を終了する方法である。
【００５８】
このうち、前者の方法では、例えば、警報が発報された状態のときに、振動検出部２２（図２）で所定値以上の振動が検知されず、さらに、接近物検出部２４（図２）で接近物が検知されず、なおかつ、不審者判断部３２ａ（図２）で人間が検出されないときには、不審者が立ち去ったものと判断して警報の出力を停止する。なお、警報が停止したときに、同時に録画も停止する。そして、不審者が接近して録画が行われたことを示すため、インジケータ（イベント発生告知部）（図１，図２）の点滅パターンを変更する。
【００５９】
また、後者の方法では、例えば、警報が発報された状態にあるときに、警報停止部５２ｃ（図２）において電子キーのＩＤ照合を行い、その結果、車両Ｖの近傍に車両Ｖの所有者がいることが確認されたとき、運転者が所定の操作（例えばドアノブを所定時間内に所定回数動かす等）を行って警報の出力を停止させることができる。なお、警報が停止したときに、同時に録画も停止する。なお、警報停止判断、および録画終了判断の詳細な処理の流れは、後ほどフローチャートで説明する。
（録画中断判断方法の説明）
【００６０】
次に、セキュリティ装置１０で行われる録画制御方法のうち、録画中断判断の方法について説明する。
【００６１】
映像の録画は、録画中断制御部３４ｄの判断によって中断する。具体的には、録画が開始されて、なおかつ、警報が発報していない状態のときに、振動検出部２２（図２）で所定値以上の振動が検知されず、さらに、接近物検出部２４（図２）で接近物が検知されず、なおかつ、不審者判断部３２ａ（図２）で人間が検出されないときには、不審者が立ち去った、もしくは、不審者を誤検知したものと判断して録画を中断する。
【００６２】
そして、録画が中断したときには、同時に、そのとき映像録画部３６ａに録画したデータを消去する。これによって、メモリ容量を節約することができる。なお、警報中断判断の詳細な処理の流れは、後ほどフローチャートで説明する。
（セキュリティ装置で行われる処理全体の流れの説明）
【００６３】
次に、セキュリティ装置１０で行われる処理全体の流れについて、図４のフローチャートを用いて説明する。
【００６４】
（ステップＳ１０）車両Ｖが施錠されたか否かを判断する。施錠されたときはステップＳ１２に進み、それ以外のときはステップＳ１０を繰り返す。
【００６５】
（ステップＳ１２）車両Ｖのキーが遠ざかったか否かを判断する。キーが遠ざかったと判断されたときはステップＳ１４に進み、それ以外のときはステップＳ１２を繰り返す。
【００６６】
（ステップＳ１４）警戒モードに移行する。
【００６７】
（ステップＳ１６）録画開始制御部３４ｂ（図２）において録画開始判断処理を行う。この処理の詳細については後述する。
【００６８】
（ステップＳ１８）録画を開始すると判断されたときはステップＳ２０に進み、それ以外のときはステップＳ１６に戻る。
【００６９】
（ステップＳ２０）振動を検知した振動検出部２２（２２ａ〜２２ｄ）（図２）のいずれか、または接近物を検知した接近物検出部２４（２４ａ〜２４ｄ）（図２）のいずれか、と対応する位置に置かれた撮像部２０（２０ａ〜２０ｄ）（図２）のいずれかを起動して、撮影された映像の録画を開始する。
【００７０】
（ステップＳ２２）振動継続時間Ｔ１と接近物検出継続時間Ｔ２をともに０にリセットする。
【００７１】
（ステップＳ２４）不審者判断部３２ａ（図２）において、人間が検出されたか否かを判断する。人間が検出されたときはステップＳ２６に進み、それ以外のときはステップＳ３２に進む。
【００７２】
（ステップＳ２６）イベント継続時間計測部５２ｂ（図２）において警報発報判断処理を行う。この処理の詳細については後述する。
【００７３】
（ステップＳ２８）警報を発報すると判断されたときはステップＳ３０に進み、それ以外のときはステップＳ３２に進む。
【００７４】
（ステップＳ３０）警報発報部５６ａ（図２）において警報を出力する。
【００７５】
（ステップＳ３２）録画中断制御部３４ｄ（図２）の作用によって録画を中断する。
【００７６】
（ステップＳ３４）ステップＳ３２で中断した録画データを消去してステップＳ１６に戻る。
【００７７】
（ステップＳ３６）イベント継続時間計測部５２ｂ（図２）において警報停止判断処理を行う。この処理の詳細については後述する。
【００７８】
（ステップＳ３８）警報を停止すると判断されたときはステップＳ４２に進み、それ以外のときはステップＳ４０に進む。
【００７９】
（ステップＳ４０）警報停止部５２ｃ（図２）において、警報の出力を停止させる操作が検出されたか否かを判断する。警報の出力を停止させる操作が検出されたときはステップＳ４８に進み、それ以外のときはステップＳ３６に戻る。
【００８０】
（ステップＳ４２）警報停止部５２ｃ（図２）の作用によって警報出力を停止する。
【００８１】
（ステップＳ４４）録画終了制御部３４ｃ（図２）の作用によって録画を終了させる。
【００８２】
（ステップＳ４６）警報発報部５６ａ（図２）の作用によってインジケータ６０（イベント発生告知部）（図２）の点滅パターンを変更する。そしてステップＳ１６に戻る。
【００８３】
（ステップＳ４８）警報停止部５２ｃ（図２）の作用によって警報出力を停止する。
【００８４】
（ステップＳ５０）録画終了制御部３４ｃ（図２）の作用によって録画を終了させる。
（録画開始判断処理の流れの説明）
【００８５】
次に、セキュリティ装置１０で行われる録画開始判断処理の流れについて、図５のフローチャートを用いて説明する。
【００８６】
（ステップＳ６０）振動検出部２２（２２ａ〜２２ｄ）（図２）のいずれかで所定値以上の振動が検知されたか否かを判断する。振動が検知されたときはステップＳ６２に進み、それ以外のときはステップＳ６４に進む。
【００８７】
（ステップＳ６２）録画開始制御部３４ｂ（図２）において、録画を開始すると判断してメインルーチン（図４）に戻る。
【００８８】
（ステップＳ６４）接近物検出部２４（２４ａ〜２４ｄ）（図２）のいずれかで接近物が検知されたか否かを判断する。接近物が検知されたときはステップＳ６２に進み、それ以外のときはステップＳ６６に進む。
【００８９】
（ステップＳ６６）録画開始制御部３４ｂ（図２）において、録画を開始しないと判断してメインルーチン（図４）に戻る。
（警報発報判断処理の流れの説明）
【００９０】
次に、セキュリティ装置１０で行われる警報発報判断処理の流れについて、図６のフローチャートを用いて説明する。
【００９１】
（ステップＳ７０）振動検出部２２（２２ａ〜２２ｄ）（図２）のいずれかで所定値以上の振動が検知されたか否かを判断する。振動が検知されたときはステップＳ７２に進み、それ以外のときはステップＳ７４に進む。
【００９２】
（ステップＳ７２）振動継続時間Ｔ１に所定量を加算する。
【００９３】
（ステップＳ７４）振動継続時間Ｔ１を０にリセットする。
【００９４】
（ステップＳ７６）接近物検出部２４（２４ａ〜２４ｄ）（図２）のいずれかで接近物が検知されたか否かを判断する。接近物が検知されたときはステップＳ８０に進み、それ以外のときはステップＳ８４に進む。
【００９５】
（ステップＳ７８）振動継続時間Ｔ１が所定の閾値Ｔｈ１以上であるか否かを判断する。振動継続時間Ｔ１が所定の閾値Ｔｈ１以上であると判断されたときはステップＳ８８に進み、それ以外のときはステップＳ７０に戻る。
【００９６】
（ステップＳ８０）接近物検出継続時間Ｔ２に所定量を加算する。
【００９７】
（ステップＳ８２）接近物検出継続時間Ｔ２が所定の閾値Ｔｈ２以上であるか否かを判断する。接近物検出継続時間Ｔ２が所定の閾値Ｔｈ２以上であると判断されたときはステップＳ８８に進み、それ以外のときはステップＳ７０に戻る。
【００９８】
（ステップＳ８４）接近物検出継続時間Ｔ２を０にリセットする。
【００９９】
（ステップＳ８６）不審者判断部３２ａ（図２）において、人間が検出されたか否かを判断する。人間が検出されたときはステップＳ７０に戻り、それ以外のときはステップＳ９０に進む。
【０１００】
（ステップＳ８８）イベント継続時間計測部５２ｂ（図２）において、警報を発報すると判断してメインルーチン（図４）に戻る。
【０１０１】
（ステップＳ９０）イベント継続時間計測部５２ｂ（図２）において、警報を発報しないと判断してメインルーチン（図４）に戻る。
（警報停止判断処理の流れの説明）
【０１０２】
次に、セキュリティ装置１０で行われる警報停止判断処理の流れについて、図７のフローチャートを用いて説明する。
【０１０３】
（ステップＳ１００）振動検出部２２（２２ａ〜２２ｄ）（図２）のいずれかで所定値以上の振動が検知されたか否かを判断する。振動が検知されたときはステップＳ１０２に進み、それ以外のときはステップＳ１０４に進む。
【０１０４】
（ステップＳ１０２）イベント継続時間計測部５２ｂ（図２）において、警報を停止しないと判断してメインルーチン（図４）に戻る。
【０１０５】
（ステップＳ１０４）接近物検出部２４（２４ａ〜２４ｄ）（図２）のいずれかで接近物が検知されたか否かを判断する。接近物が検知されたときはステップＳ１０２に進み、それ以外のときはステップＳ１０６に進む。
【０１０６】
（ステップＳ１０６）不審者判断部３２ａ（図２）において、人間が検出されたか否かを判断する。人間が検出されたときはステップＳ１０２に進み、それ以外のときはステップＳ１０８に進む。
【０１０７】
（ステップＳ１０８）イベント継続時間計測部５２ｂ（図２）において、警報を停止すると判断してメインルーチン（図４）に戻る。
（複数の方向に不審者がいるときのセキュリティ装置の動作の説明）
【０１０８】
次に、車両Ｖの複数の方向に不審者が同時に検出されたときのセキュリティ装置１０の動作について、図８（ａ）（ｂ），図９（ａ）（ｂ）を用いて説明する。
【０１０９】
図８（ａ）は、車両Ｖの四方から、それぞれ不審者（Ｈ１〜Ｈ４）が接近して、車両Ｖに触れた様子を示す図である。このとき、車両Ｖに設置された前方振動センサ２２ａが所定値よりも大きい振動を検知して、前方赤外線センサ２４ａが接近物を検知する。また、左側方振動センサ２２ｂが所定値よりも大きい振動を検知して、左側方赤外線センサ２４ｂが接近物を検知する。そして、後方振動センサ２２ｃが所定値よりも大きい振動を検知して、後方赤外線センサ２４ｃが接近物を検知する。さらに、右側方振動センサ２２ｄが所定値よりも大きい振動を検知して、右側方赤外線センサ２４ｄが接近物を検知する。
【０１１０】
すると、前述した録画開始制御が行われ、前方カメラ２０ａ，左側方カメラ２０ｂ，後方カメラ２０ｃ，右側方カメラ２０ｄがそれぞれ起動して、映像の録画が開始される。そして、このとき、映像録画部３６ａ（図２）には、図８（ｂ）に示す映像Ｉ（ｔ）が録画される。
【０１１１】
映像Ｉ（ｔ）は、その内部が４分割されて、分割映像Ｉａ（ｔ），Ｉｂ（ｔ），Ｉｃ（ｔ），Ｉｄ（ｔ）がそれぞれ形成される。そして、分割映像Ｉａ（ｔ），Ｉｂ（ｔ），Ｉｃ（ｔ），Ｉｄ（ｔ）の中には、それぞれ、車両Ｖに接近している不審者Ｈ１，Ｈ２，Ｈ３，Ｈ４が映る。さらに、映像Ｉ（ｔ）の中には、その映像が撮影された日時であるタイムカウンターＴｃが重畳される。これによって、不審者Ｈ１〜Ｈ４が車両Ｖに接近した時刻を特定することができる。
【０１１２】
なお、分割映像Ｉａ（ｔ），Ｉｂ（ｔ），Ｉｃ（ｔ），Ｉｄ（ｔ）の表示位置は、図８（ｂ）の例に制限されるものではなく、適宜、場所を入れ替えてもよい。
【０１１３】
次に、図９（ａ）は、車両Ｖの右方と前方から、それぞれ不審者（Ｈ１，Ｈ２）が接近して、車両Ｖに触れた様子を示す図である。このとき、車両Ｖに設置された前方振動センサ２２ａが所定値よりも大きい振動を検知して、前方赤外線センサ２４ａが接近物を検知する。また、右側方振動センサ２２ｄが所定値よりも大きい振動を検知して、右側方赤外線センサ２４ｄが接近物を検知する。
【０１１４】
すると、前述した録画開始制御が行われ、前方カメラ２０ａ，右側方カメラ２０ｄがそれぞれ起動して、映像の録画が開始される。そして、このとき、映像録画部３６ａ（図２）には、図９（ｂ）に示す映像Ｉ（ｔ）が録画される。
【０１１５】
映像Ｉ（ｔ）は、その内部が４分割されて、分割映像Ｉａ（ｔ），Ｉｂ（ｔ），Ｉｃ（ｔ），Ｉｄ（ｔ）がそれぞれ形成される。そして、分割映像Ｉａ（ｔ），Ｉｄ（ｔ）の中には、それぞれ、車両Ｖに接近している不審者Ｈ１，Ｈ２が映る。さらに、映像Ｉ（ｔ）の中には、その映像が撮影された日時であるタイムカウンターＴｃが重畳される。これによって、不審者Ｈ１，Ｈ２が車両Ｖに接近した時刻を特定することができる。
【０１１６】
このように、複数の方向で不審者が検知されたときには、その方向に応じた分割画像が生成されて、映像の録画が行われる。
【０１１７】
以上説明したように、このように構成された本発明に係るセキュリティ装置１０によれば、車両Ｖに設置された複数の振動センサ（２２ａ〜２２ｄ）（振動検出部）のいずれかが検出した振動の大きさが所定値を超えたとき、または、車両Ｖに設置された複数の赤外線センサ（２４ａ〜２４ｄ）（接近物検出部）のいずれかが接近物を検出したときには、録画開始制御部３４ｂの作用によって当該振動センサ（２２ａ〜２２ｄ）のいずれか、または、当該赤外線センサ（２４ａ〜２４ｄ）のいずれかと対応する位置に設置されたカメラ（２０ａ〜２０ｄ）（撮像部）で車両Ｖの周囲の撮影を開始して、撮影された映像を映像録画部３６ａに録画する。
【０１１８】
そして、イベント継続時間計測部５２ｂが、所定値を超える振動が継続する振動継続時間Ｔ１と接近物が検出され続ける接近物検出継続時間Ｔ２を計測して、振動継続時間Ｔ１または接近物検出継続時間Ｔ２が所定時間を超えて、なおかつ、不審者判断部３２ａで人間が映っていると判断されたときには警報発報部５６ａが警報を発報する。
【０１１９】
さらに、警報発報部５６ａが警報を発報した後で、所定値を超える振動および前記接近物の検出がともになされず、なおかつ、不審者判断部３２ａで人間が映っていないと判断されたときには、警報停止部５２ｃの作用によって警報の発報が停止されるとともに、録画終了制御部３４ｃの作用によって映像の録画が終了して、インジケータ６０（イベント発生告知部）が、録画が行われたことを告知する。
【０１２０】
したがって、振動センサ（２２ａ〜２２ｄ）（振動検出部）と赤外線センサ（２４ａ〜２４ｄ）（接近物検出部）によって不審者の接近を検出して不審者判断部３２ａで人間が映っていることを確認して警報を発報するため、複数の異なる種類のセンサを用いることによって不審者の接近を誤検出することなく確実に検出して、なおかつ、車両Ｖへの侵入を未然に防止することができる。
【０１２１】
また、このように構成された本発明に係るセキュリティ装置１０によれば、映像録画部３６ａへの録画を開始した後で、振動継続時間Ｔ１および接近物検出継続時間Ｔ２が、ともに所定時間に満たないとき、なおかつ、不審者判断部３２ａで人間が映っていないと判断されたときには、録画中断制御部３４ｄの作用によって録画を中断してそのときに録画された映像を消去するため、電力消費を抑制できるとともに、無駄なメモリ消費を抑制することができる。
【０１２２】
さらに、このように構成された本発明に係るセキュリティ装置１０によれば、複数の撮像部２０（２０ａ，２０ｂ，２０ｃ，２０ｄ）のうち少なくとも１つの撮影部で撮影された映像を録画するときに、映像を１枚の映像Ｉ（ｔ）に合成して録画する。したがって、複数の不審者が同時に接近した場合であっても、車両Ｖの異なる方向の周囲状況を同時に記録することができるため、録画した映像Ｉ（ｔ）の閲覧を効率的に行うことができる。また、有事の際の重要な証拠資料とすることができる。
【０１２３】
そして、このように構成された本発明に係るセキュリティ装置１０によれば、接近物検出部２４（２４ａ，２４ｂ，２４ｃ，２４ｄ）が赤外線センサによって構成されるため、人間のような温体物標の接近を確実に検出することができる。
【０１２４】
また、実施例１では、車両Ｖの周囲状況を監視する周囲監視装置用に設置した撮像部２０（２０ａ〜２０ｄ）とカメラＥＣＵ３０を、セキュリティ装置１０に流用した。したがって、不審者の接近を車両Ｖに侵入される前に検知することができる。さらに、通常の周囲監視装置では、撮像した映像に対して、座標変換や合成を行って運転者に提供するが、本セキュリティ装置１０では、撮影された映像をそのまま録画しているため、撮像部２０（２０ａ〜２０ｄ）とカメラＥＣＵ３０を素早く起動することができ、不審者の接近が検知されたときに素早く撮像部２０を起動して録画を開始することができる。
【０１２５】
なお、実施例１では、振動の検出に加速度センサを用いて、接近物の検出に赤外線センサを用いる例を記載したが、使用できるセンサはそれに限定されるものではない。すなわち、振動の発生を検知できるセンサであれば、加速度センサ以外のセンサを用いてもよい。また、接近物を検知できるセンサであれば、赤外線センサ以外の、例えば超音波センサを用いてもよい。
【０１２６】
また、実施例１では、振動検出部２２（２２ａから２２ｄのいずれか）において所定値よりも大きい振動が検出されるか、もしくは、接近物検出部２４（２４ａから２４ｄのいずれか）において接近物が検出されたときに、撮像部２０（２０ａから２０ｄのいずれか）を起動して録画を開始したが、これは、振動検出部２２（２２ａから２２ｄのいずれか）において所定値よりも大きい振動が検出されて、なおかつ、接近物検出部２４（２４ａから２４ｄのいずれか）において接近物が検出されたときに、撮像部２０（２０ａから２０ｄのいずれか）を起動して録画を開始してもよい。これによって、録画の確実性がさらに向上するとともに、撮像部を動作させることによる電力消費を抑えることができる。
【０１２７】
また、実施例１では、振動継続時間Ｔ１が所定の閾値Ｔｈ１を超えたとき、あるいは、接近物検出継続時間Ｔ２が所定の閾値Ｔｈ２を超えたときに、警報を発報したが、これは、振動継続時間Ｔ１が所定の閾値Ｔｈ１を超えて、なおかつ、接近物検出継続時間Ｔ２が所定の閾値Ｔｈ２を超えたときに、警報を発報してもよい。これによって、警報発報の確実性がさらに向上するとともに、警報を発報させることによる電力消費を抑えることができる。
【０１２８】
以上、本発明の実施例を図面により詳述したが、実施例は本発明の例示にしか過ぎないものであるため、本発明は実施例の構成にのみ限定されるものではなく、本発明の要旨を逸脱しない範囲の設計の変更等があっても、本発明に含まれることは勿論である。
【符号の説明】
【０１２９】
Ｖ      車両
１０    セキュリティ装置
２０，２０ａ，２０ｂ，２０ｃ，２０ｄ  撮像部
２２，２２ａ，２２ｂ，２２ｃ，２２ｄ  振動検出部
２４，２４ａ，２４ｂ，２４ｃ，２４ｄ  接近物検出部
３０    カメラＥＣＵ（カメラ制御部）
３２ａ  不審者判断部
３４ａ  録画制御部
３４ｂ  録画開始制御部
３４ｃ  録画終了制御部
３４ｄ  録画中断制御部
３６ａ  映像録画部
５０    セキュリティシステムＥＣＵ（セキュリティシステム制御部）
５２ａ  監視開始判断部
５２ｂ  イベント継続時間計測部
５２ｃ  警報停止部
５６ａ  警報発報部
６０    インジケータ（イベント発生告知部）
７０    モニター（映像出力部）
【図１】
2015178298.tif 000003
【図２】
2015178298.tif 000004
【図３】
2015178298.tif 000005
【図４】
2015178298.tif 000006
【図５】
2015178298.tif 000007
【図６】
2015178298.tif 000008
【図７】
2015178298.tif 000009
【図８】
2015178298.tif 000010
【図９】
2015178298.tif 000011